(57)【要約】  弾性包帯ラップの固定に使用するのに特に適したクリップアセンブリは、保持区域を画成する本体と、舌部と、締結ストラップとを含む。本体及び舌部は協働して、弾性包帯ラップの第１のセグメントを保持区域で固定し、その別のセグメントに締結ストラップを接着することができる。【選択図】図２
2016502044.tif 000002
【特許請求の範囲】
【請求項１】
基部、第１のアーム、及びブリッジを含み、保持面を含む本体と、
前記保持面に対する方向で前記基部から突出する舌部と、
前記本体に連結されたストラップと、を備え、前記舌部が前記ブリッジを摩擦係合して、標的材料を前記本体内で固定するように動作可能である、クリップ。
【請求項２】
前記ブリッジが、前記基部から離れた位置で前記第１のアームに接続される、請求項１に記載のクリップ。
【請求項３】
前記本体が第２のアームを含み、前記保持面が、前記第１及び第２のアームによって少なくとも部分的に画成される、請求項１に記載のクリップ。
【請求項４】
前記舌部が前記保持面に対して下向きの角度で突出する、請求項１〜３のいずれか一項に記載のクリップ。
【請求項５】
前記舌部が前記保持面に対して上向きの角度で突出する、請求項１〜３のいずれか一項に記載のクリップ。
【請求項６】
前記基部、第１のアーム、第２のアーム、及びブリッジが協働して保持区域を画成する、請求項１〜３のいずれか一項に記載のクリップ。
【請求項７】
前記舌部が、前記保持区域の長さに少なくとも等しい長さ寸法を含む、請求項６に記載のクリップ。
【請求項８】
前記舌部の先端と前記ブリッジとの間の係合により、前記舌部が前記保持面に対する初期位置に戻るのを防ぐ、請求項１〜３のいずれか一項に記載のクリップ。
【請求項９】
前記舌部の表面が、表面から突出する複数の表面形状を含む、請求項１に記載のクリップ。
【請求項１０】
前記ストラップが１つ以上の締結表面を含む、請求項１に記載のクリップ。
【請求項１１】
標的材料の第１のセグメントを前記標的材料の第２のセグメントに固定する方法であって、
本体、先端を有する舌部、及び締結ストラップを含むクリップを提供し、前記本体が保持区域及び保持面を含み、前記本体が基部及び前記基部から離間配置されたブリッジを更に含む、工程と、
前記締結ストラップを前記弾性ラップの前記第１のセグメントに付着させる工程と、
前記第２のセグメントを前記保持区域に配置する工程と、
前記舌部を前記保持面に対して動かして、前記ブリッジを係合する工程と、
前記第２のセグメントの少なくとも一部を前記先端と前記ブリッジとの間で固定する工程と、を含む方法。
【請求項１２】
標的材料の第１のセグメントを前記標的材料の第２のセグメントに固定する方法であって、
本体、先端を有する舌部、及び締結ストラップを含むクリップを提供し、前記本体が保持区域及び保持面を含み、前記本体が基部及び前記基部から離間配置されたブリッジを更に含む、工程と、
前記締結ストラップを前記弾性ラップの前記第１のセグメントに付着させる工程と、
前記第２のセグメントの前記少なくとも一部を前記保持区域に配置する工程と、
前記本体を前記保持面に対して動かして、前記舌部を係合する工程と、
前記第２のセグメントの少なくとも一部を前記先端と前記ブリッジとの間で固定する工程と、を含む方法。
【請求項１３】
前記ブリッジが、前記基部から離れた位置でアームに接続される、請求項１１又は１２に記載の方法。
【請求項１４】
前記保持面が、前記第１及び第２のアームによって少なくとも部分的に画成される、請求項１１又は１２に記載の方法。
【請求項１５】
前記舌部が前記保持面に対して下向きの角度で突出する、請求項１１又は１２に記載の方法。
【請求項１６】
前記舌部が前記保持面に対して上向きの角度で突出する、請求項１１又は１２に記載の方法。
【請求項１７】
前記基部、ブリッジ、第１のアーム、及び第２のアームが協働して保持区域を画成する、請求項１１又は１２に記載の方法。
【請求項１８】
前記舌部が、前記保持区域の長さに少なくとも等しい長さ寸法を含む、請求項１７に記載の方法。
【請求項１９】
前記舌部の先端と前記ブリッジとの間の係合により、前記舌部が前記保持面に対する前記第１の位置に戻るのを防ぐ、請求項１１又は１２に記載の方法。
【請求項２０】
前記舌部の表面が、表面から突出する複数の表面形状を含む、請求項１１又は１２に記載の方法。
【発明の詳細な説明】
【背景技術】
【０００１】
ＡＣＥ（商標）の名で提供されているものを含む弾性包帯は、ヒト及び動物の解剖学的構造に対して短期的な圧縮及び軽微な固定を提供するのに特に有用である。これらの包帯を適用するには、８の字形の巻付けを用いることができ、包帯は一般に連続した形で巻き付けられる。ユーザに巻き付ける際、最初に包帯を整然と巻き、包帯を巻き出しながら、身体の一部分の周りに包帯を巻き付けるのが一般的な方法である。この方式で包帯を適用するために、包帯は通常、４フィート以上などの相当な長さのものである。伸縮性包帯、及びより具体的には長手方向で弾性である弾性包帯は、非弾性の相当品に対する大幅な利点を提供する。これらの利点としては、身体部分の曲率に適応する能力が向上すること、滑らずに留まる能力が改善されること、軽い病気及び創傷の治療に有用な、比較的均等な量の包帯圧を適用できること、並びに大幅に短い、したがってより軽量の包帯を使用して身体の一部分に巻き付くことができることが挙げられる。
【０００２】
弾性包帯は、一般的に、１つ以上の金属クリップによって、巻き付けられた位置で保定される。金属クリップには、比較的鋭い突起（即ち、プロング）が形成されており、これが使用の際に、包帯の端部を突き通り、包帯の中間部分も突き通って、それによって包帯の端部を包帯の中間部分と接触した状態で保持する（図１を参照）。他の保定システムとしては、フック・ループ式締結（例えば、ベルクロ（商標）製品を組み込んだもの）の機能が挙げられる。
【発明の概要】
【課題を解決するための手段】
【０００３】
プロング式のクリップを弾性包帯に固定するのは困難であることが証明されており、プロングが弾性材料を貫通する際にユーザを突いてしまうリスクが加わる。このことは、ユーザが包帯を自身の身体に当てようとする場合の問題となり得る。プロング式のクリップはまた、抜け落ち、使用していないときに失くすか又は置き忘れる傾向がある。より最近の代替例は、ラップの一部分に固定されるか又はそれと一体である、フック・ループ式の締結システム（例えば、ベルクロ（商標））を使用するものであり、プロングシステムを上回る何らかの改善を提供するが、製造にコストが掛かる場合があり、ユーザに合わせたカスタマイズが限定される場合がある。したがって、ユーザが身に付けたときに十分な性能を提供するように、布地の異質部分を固定する革新的な手段が依然として必要とされている。
【０００４】
本開示は、保持区域を画成する本体と、舌部と、締結ストラップとを有するクリップを提供する。本体及び舌部は協働して標的材料のセグメントを固定し、締結ストラップは、好ましくは着脱可能に、標的材料の別のセグメントに付着することができる。
【０００５】
使用の間、舌部は本体に対して動いて（例えば、押し下げられて）もよい。あるいは、本体が舌部に対して動いてもよい。標的材料（例えば、弾性ラップ）は保持区域に挿入され、舌部（又は本体）は再びその初期位置に対して移動して、本体（又は舌部）を摩擦係合する。本体は、舌部を係合し動かなくするためのブリッジ又はレッジ状表面を提供して、標的材料を適所に固定する。摩擦係合は、弾性ラップに適切に固定されていることをユーザが確保する助けとなる可聴音である、「スナップ留め機能」を提供する。スナップ留め機能はまた、触覚的フィードバックと、材料を固定するために挟む地点とを提供する。クリップはまた、弾性ラップのような布地材料を損傷又は穿刺することなく、材料に固定し、また材料から取り外すことができる。それに加えて、本開示のクリップは、中央線、あるいは最良の結果及び／又は着用者の好みにとって必要と考えられる他の任意の場所を含む、弾性包帯（若しくは標的材料）に沿った様々な地点で、取外し及び固定を行うことができる。
【０００６】
クリップは、接着剤、ゲル、及びマイクロフックを含むがそれらに限定されない種々の好適な付着機構を利用する、材料の任意の種類のストラップ又はストリップに適用することができる。クリップはまた、逆のやり方で利用することができ、その場合、締結具は主要係合点であることができ（例えば、適所で縫い止められる）、クリップ部分が最終的な固定に利用される。
【０００７】
一態様では、本開示は、基部、第１のアーム、第２のアーム、及びブリッジを含み、保持面を画成する本体と、保持面に対する方向で基部から突出する舌部と、本体に連結されたストラップとを備え、舌部がブリッジを摩擦係合して、標的材料を舌部とブリッジとの間で固定するように動作可能である、クリップを提供する。
【０００８】
別の態様では、本開示は、弾性ラップの第１のセグメントを弾性ラップの第２のセグメントに固定する方法であって、本体、先端を有する舌部、及び締結ストラップを含むクリップを提供し、本体が保持区域及び保持面を画成し、本体が基部と基部から離間配置されたブリッジとを含む、工程と、締結ストラップを弾性ラップの第１のセグメントに付着させる工程と、第２のセグメントを保持区域に配置する工程と、舌部を保持面に対して動かしてブリッジを係合する工程と、第２のセグメントの少なくとも一部を先端とブリッジとの間で固定する工程とを含む、方法を提供する。
【０００９】
本明細書で使用するとき、「上向き」及び「下向き」は、図示される配向に関してのみ、構成要素の相対的な動きを説明するのに使用され、クリップ内における構成要素の可能な動きを別の形で制限又は制約しようとするものではない。
【００１０】
本明細書で使用するとき、「標的材料」は、本開示のクリップで押さえることが意図される、弾性包帯ラップ又は他の布地材料を意味する。
【００１１】
用語「含む（comprise）」及びこの変形は、これらの用語が現れる明細書及び請求項を制限する意図を持たない。
【００１２】
用語「好ましい」及び「好ましくは」とは、特定の状況下で、特定の利益をもたらすことができる、本発明の実施形態を指す。しかしながら、同一又は他の環境下で、他の実施形態も好ましい可能性がある。更に、１つ以上の好ましい実施形態の記載は、他の実施形態が有用でないことを示唆するものではなく、また、本発明の範囲から他の実施形態を排除することを意図するものでもない。
【００１３】
本明細書で記載されるすべての数は、「約」なる用語によって修飾されると見なされなければならない。
【００１４】
本明細書で使用するとき、「ａ」、「ａｎ」、「ｔｈｅ」、「少なくとも１つの」、及び「１つ以上の」は、互換可能に使用される。したがって、例えば、「１つの（ａ）」突起を備える圧力パッドは、「１つ以上の」突起を備える圧力パッドと解釈することができる。
【００１５】
また本明細書では、端点による数値範囲の記載は、その範囲に含まれる全ての数を含む（例えば、１〜５は、１、１．５、２、２．７５、３、３．８０、４、５などを含む）。
【００１６】
上記の本発明の課題を解決するための手段は、本発明の開示されるそれぞれの実施形態又は本発明のすべての実施を説明することを目的としたものではない。以下の説明は、例示的な実施形態をより具体的に例示するものである。本出願の全体を通じて幾つかの箇所で、実施例のリストによって指針が与えられるが、これらの実施例は異なる組み合わせで使用することができる。それぞれの場合において、記載されるリストはあくまで代表的な群として与えられるものであって、包括的な一覧として解釈されるべきものではない。
【図面の簡単な説明】
【００１７】
本開示について図面を参照して更に記載するが、複数の図面を通して対応する参照記号は対応する部分を示す。
【図１Ａ】例示的な従来技術のクリップを示す図である。
【図１Ｂ】例示的な従来技術のクリップを示す図である。
【図２】本開示の一実現例によるクリップの平面図である。
【図３】図２のクリップの底面図である。
【図４】図２のクリップの側面図である。
【図５】本開示の別の実現例によるクリップの斜視図である。
【図６】本開示の方法によって弾性ラップに付着されたクリップを示す図である。
【００１８】
上で特定した図面は、本開示のいくつかの実施形態について説明しているが、本明細書で述べているように、他の実施形態も考えられる。いずれのケースでも、本開示は、限定する目的ではなく、説明する目的で本発明を提示する。本発明の原理の範囲及び趣旨に含まれる多数の他の修正及び実施形態が、当業者によって考案され得ることを理解されたい。
【発明を実施するための形態】
【００１９】
図２〜図４は、本開示によるクリップアセンブリ１０の一実現例を示す。クリップアセンブリ１０は、本体２０と、舌部３０と、ストラップ４０とを含む。本体２０は、基部２１と、第１及び第２のアーム（２２、２３）と、ブリッジ２４とを含み、それらが全て協働して保持区域２５を画成する。第１及び第２のアーム２２、２３は基部２１から突出し、協働して保持面を画成する。台形形状を有するものとして図示されているブリッジ２４は、第１及び第２のアーム２２、２３を接続する。あるいは、クリップ全体が台形を模するように、接続ブリッジ２４は直線状縁部を示してもよい。クリップ本体２０は、正方形、多面体、円形、楕円形などを含む、任意の好適な形状を示してもよい。
【００２０】
舌部３０は、ブリッジ２４の方向で基部２１から突出する。舌部３０は、少なくとも１つの係合表面３１を含み、一般的に、保持区域２５に類似した形状又は輪郭を有する。図４に示されるように、舌部３０は、保持面に対して下向きの非ゼロの角度３６で突出することができる。この突出角度３６は、標的材料を保持区域２５に挿入する際に、保持面に対して舌部を（又は舌部に対して保持面を）押し下げるのを支援することができる。他の実施形態では、舌部３０は、上向きの非ゼロの角度で突出してもよく、保持面と共面であってもよく、又はブリッジ２４の全体方向で保持面と平行に突出してもよい。
【００２１】
舌部３０は、保持区域２５の（基部からブリッジ２４まで測定した）長さに等しい、又はそれよりも僅かに長い、（基部から先端３３まで測定した）長さ寸法を含む。僅かに長い長さを選択することによって、標的材料を係合するように舌部３０を動かしたときに、先端３３とブリッジ２４の一部分との間の摩擦による相互作用が可能になる（より詳細に後述する付着方法による）。使用の際、先端３３は保持面の方向で押されて、ブリッジ２４を係合する。先端３３とブリッジ２４との間の摩擦による締まりばめによって、舌部３０が保持面に対してその元の位置に戻ることがなくなる。先端３３とブリッジ２４との間のこの相互作用はまた、ユーザに対して、クリップ１０が固定されていることの聴覚的及び触覚的フィードバックを提供する。更に、標的材料の一部分は、先端３３とブリッジ２４との間で保持されてもよく、その境界面は材料を挟む地点として作用する。
【００２２】
概ね、舌部３０は、（第１のアーム２２から第２のアーム２３までで測定した）保持区域よりも狭い幅を有するので、舌部は、ブリッジ２４に対する係合位置と非係合位置との間をより自由に動くことができる。いくつかの実現例では、かかる幅の差は、各側において、したがって各アームに対して、少なくとも１／８インチ（０．３１８センチメートル）である。他の実現例では、差は各側において少なくとも１／４インチ（０．６４センチメートル）である。代替実現例では、標的材料の固定は、舌部の側面と第１及び／又は第２のアームとの間の係合に少なくとも部分的に依存することがある。
【００２３】
舌部３０の材料係合表面３１は、図２〜図４に示されるように、実質的に平滑であってもよい。図５に示されるものなど、他の実施形態では、係合表面は１つ以上の表面形状３８を含んでもよい。表面形状３８は、係合表面のほぼ全体、又はその任意の部分に沿って延在してもよい。好適な表面形状の例としては、様々な多面体形状、平行六面体、擬似角錐台、角錐台など、及びそれらの組み合わせを挙げることができるが、それらに限定されない。例えば、形状は、多面体、円錐、切頭円錐、角錐、切頭角錐、球、部分球、半球、楕円体、ドーム形状、レール形状、円筒、及びそれらの組み合わせであり得る。表面形状３８は、特定の実現例では、標的材料がクリップ１０に保持されているときの望ましくない滑動又は他の移動を防ぐ、追加の摩擦停止部を提供してもよい。
【００２４】
図３を参照して認識できるように、材料係合表面３１の反対側の表面３２は、支持レール３４又は類似の構造を含むことができる。支持レール３４は、一般的に、保持面に対して舌部３０が過度に動くのを防ぎ、それによって舌部の初期位置へと向かう付勢力を保持するように設計される。更に、支持レール３４は、ユーザによって過度の力が加わることにより、舌部３０が不注意で破損又は弱化するのを防いで、クリップアセンブリ１０が複数回の使用に利用可能であることを担保する助けとしてもよい。他の実現例では、対向表面３２は、材料係合表面３１に関して上述した表面形状３８を含むことができる。
【００２５】
クリップの本体２０は、金属及びプラスチックを含むがそれらに限定されない、いくつかの異なるタイプの材料で作ることができる。特に好適なプラスチックとしては、ナイロン、ポリプロピレン、及びポリカーボネートが挙げられる。舌部３０は、好ましくは、本体に対して動くが、但しその元の位置に向かう付勢力を示すのに十分に、弾力性及び可撓性である。本開示にしたがって設計されたクリップ１０は、潜在的に、約７重量ポンド（３ｋｇｆ）の保持力を作り出すことができる。
【００２６】
クリップの本体２０は、一般的には基部２１において、締結ストラップ４０に連結されてもよい。基部２１は、例えば溶接及び接着を含む、任意の既知の定着機構によって、ストラップ４０に連結されてもよい。ストラップ４０は、一般的に、標的材料に固定するか又は着用者の解剖学的構造の一部分に巻き付けることができる、可撓性ベルトを備える。ストラップ４０は、一般的に、弾性ラップ（又は他の標的材料）の所望の部分にしっかりと接続し、不用意な取外しを防ぐのに十分な長さのものである。
【００２７】
ストラップ４０は、一般的に、発泡積層体（例えば、ポリエステル内層、ウレタン発泡体、及び外部耐久性のためのナイロンジャージーを含む積層体）、又は織布綿若しくはナイロンストラップなど、比較的非弾性の材料（例えば、約３０％以下の張力下での伸展を有する材料）を含む。ストラップ４０はまた、例えば、ストラップの片面又は両面に適用される、「フック・ループ式アプリケーション」のフックに類似した、締結表面を備えてもよい。締結表面は、標的材料に直接適用することができる。フック・ループ式の締結表面は、選択したフック／ループパターンに基づいて、剥離／剪断力を修正することができる機会を提供する。他の実現例では、締結表面は、接着剤（特に、感圧性接着剤）、及び標的材料と係合する他の一連の微細複製された形状（例えば、微細構造）を含む。本開示で有用な感圧性接着剤の例としては、ゴム系接着剤（例えば、粘着性を付与された天然ゴム、合成ゴム、及びスチレンブロックコポリマー）、（メタ）クリル酸（即ち、（メタ）クリレート）、ポリ（α−オレフィン）、ポリウレタン、並びにシリコーンが挙げられる。他の再配置可能又は取外し可能な接着剤も、締結表面に使用することができる。
【００２８】
あるいは、クリップアセンブリは、クリップ本体及びそれに対応する舌部が締結ストラップの両端にあるように構成することができる。他の実施形態では、クリップアセンブリは、多重ストラップ構成で接続された２つ以上のクリップ本体を含む。
【００２９】
本開示はまた、上述のクリップを標的材料に、特に弾性包帯に付着させる方法を提供する。一実現例では、標的材料１００の縁部又は他の区域が折り畳まれて、厚さが増加した縁部が作り出される。代替実現例では、標的材料１００は、著しい変更なしでクリップ本体内に置かれる。標的材料１００の縁部は、クリップ基部２１の全体方向で保持区域内を動く。ユーザは、保持面に対して動かすため、舌部３０又は本体２０の１つに力を加えることを選択してもよい。あるいは、ユーザは、標的材料１００が基部２１に向かって移動するにつれて十分な力を提供することに依存してもよい。標的材料１００がクリップの基部２１に近付くにつれて、又はそれに先立つ任意の時点で、ユーザは、ブリッジ２４の方向で舌部３０を保持面に対して動かしてもよい。あるいは、ユーザは、舌部３０の全体方向で本体（ブリッジを含む）を動かしてもよい。図６に示される実施形態では、舌部３０はブリッジ２４の上方へと動いているので、材料係合表面と反対側の表面が標的材料上にあり、それを摩擦係合している。先端３３とブリッジ２４との間の相互作用は、クリップが適所に固定されたことの聴覚的及び触覚的フィードバック、並びに標的材料の一部分を保定するために挟む地点を提供する。クリップが固定されると、締結ストラップ４０は標的材料の別の区画に位置してもよい。あるいは、締結ストラップ４０は、別のセグメントを保持区域に挿入する前に配置されてもよい。
【００３０】
解剖学的構造の一部分の周りで弾性包帯ラップを固定するため、ユーザは、締結ストラップ又はクリップ本体のどちらかを、弾性ラップのセグメントに付着させてもよい。ユーザは次に、所望又は支持される程度、材料を巻き付けてもよい。巻付け作業が完了すると、ユーザは、付着していないクリップ構成要素又は締結表面をラップの別のセグメントに固定してもよい。
【００３１】
キットの一部として、クリップは、標的材料（例えば、弾性包帯）に付着されて提供されてもよく、又は別個のユニットとして提供されてもよい。
【００３２】
実施形態
１．基部、第１のアーム、第２のアーム、及びブリッジを含み、保持面を含む本体と、保持面に対する方向で基部から突出する舌部と、本体に連結されたストラップとを備え、舌部がブリッジを摩擦係合して、標的材料を本体内で固定するように動作可能である、クリップ。
２．ブリッジが、基部から離れた位置で第１及び第２のアームを接続する、請求項１に記載のクリップ。
３．保持面が、第１及び第２のアームによって少なくとも部分的に画成される、請求項１又は２に記載のクリップ。
４．舌部が保持面に対して下向きの角度で突出する、請求項１〜３のいずれかに記載のクリップ。
５．舌部が保持面に対して上向きの角度で突出する、請求項１〜３のいずれかに記載のクリップ。
６．基部、第１のアーム、第２のアーム、及びブリッジが協働して保持区域を画成する、先行する請求項のいずれかに記載のクリップ。
７．舌部が、保持区域の長さに少なくとも等しい長さ寸法を含む、請求項６に記載のクリップ。
８．舌部が、保持区域の長さよりも長い長さ寸法を含む、請求項７に記載のクリップ。
９．舌部の先端とブリッジとの間の係合により、舌部が保持面に対する初期位置に戻るのを防ぐ、先行する請求項のいずれかに記載のクリップ。
１０．舌部の表面が、表面から突出する複数の表面形状を含む、先行する請求項のいずれかに記載のクリップ。
１１．ストラップが１つ以上の締結表面を含む、先行する請求項のいずれかに記載のクリップ。
１２．標的材料の第１のセグメントを標的材料の第２のセグメントに固定する方法であって、本体、先端を有する舌部、及び締結ストラップを含むクリップを提供し、本体が保持区域及び保持面を含み、本体が基部及び基部から離間配置されたブリッジを更に含む、工程と、締結ストラップを弾性ラップの第１のセグメントに付着させる工程と、第２のセグメントを保持区域に配置する工程と、舌部を保持面に対して動かして、ブリッジを係合する工程と、第２のセグメントの少なくとも一部を先端とブリッジとの間で固定する工程と、を含む方法。
１３．標的材料の第１のセグメントを標的材料の第２のセグメントに固定する方法であって、本体、先端を有する舌部、及び締結ストラップを含むクリップを提供し、本体が保持区域及び保持面を含み、本体が基部及び基部から離間配置されたブリッジを更に含む、工程と、締結ストラップを弾性ラップの第１のセグメントに付着させる工程と、第２のセグメントの少なくとも一部を保持区域に配置する工程と、本体を保持面に対して動かして、舌部を係合する工程と、第２のセグメントの少なくとも一部を先端とブリッジとの間で固定する工程と、を含む方法。
１４．ブリッジが、基部から離れた位置で第１及び第２のアームを接続する、請求項１２又は１３に記載の方法。
１５．保持面が、第１及び第２のアームによって少なくとも部分的に画成される、先行する請求項のいずれかに記載の方法。
１６．舌部が保持面に対して下向きの角度で突出する、先行する請求項のいずれかに記載の方法。
１７．舌部が保持面に対して上向きの角度で突出する、請求項１２〜１５のいずれかに記載の方法。
１８．基部、第１のアーム、第２のアーム、及びブリッジが協働して保持区域を画成する、先行する請求項のいずれかに記載の方法。
１９．舌部が、保持区域の長さに少なくとも等しい長さ寸法を含む、請求項１８に記載の方法。
２０．舌部が、保持区域の長さよりも長い長さ寸法を含む、請求項１９に記載の方法。
２１．舌部の先端とブリッジとの間の係合により、舌部が保持面に対する第１の位置に戻るのを防ぐ、先行する請求項のいずれかに記載の方法。
２２．舌部の表面が、表面から突出する複数の表面形状を含む、先行する請求項のいずれかに記載の方法。
２３．ストラップが１つ以上の締結表面を含む、先行する請求項のいずれかに記載の方法。
２４．標的材料が弾性ラップである、先行する実施形態のいずれかに記載の方法。
【００３３】
本明細書に引用される特許、特許文献、及び刊行物の完全な開示内容は、あたかもそれぞれが個々に組み込まれたのと同様に、それら全体が参照により組み込まれる。本発明の範囲及び趣旨から逸脱することなく、本発明の様々な改変及び変更が当業者には明らかとなるであろう。本発明は、本明細書に記載される例示的な実施形態及び実施例によって不当に限定されるものではない点、また、こうした実施例及び実施形態はあくまで例示を目的として示されるにすぎないのであって、本発明の範囲は本明細書において以下に記載する特許請求の範囲によってのみ限定されるものである点は理解すべきである。
【図１Ａ】
2016502044.tif 000003
【図１Ｂ】
2016502044.tif 000004
【図２】
2016502044.tif 000005
【図３】
2016502044.tif 000006
【図４】
2016502044.tif 000007
【図５】
2016502044.tif 000008
【図６】
2016502044.tif 000009
【国際調査報告】
2016502044.tif 000010
2016502044.tif 000011